(57)【要約】【課題】ユーザにとってビデオカセットテープから光ディスクへのダビングが容易なものとなり利便性が向上する光ディスク記録装置を提供する。【解決手段】リモコンが有する自動ダビングボタンが押下げられると、ＶＣＲ１がビデオカセットテープから再生した映像音声データをＨＤＤ３が一旦ハードディスクに記録した後、制御部６は、ビデオカセットテープに記録された映像音声データの記録時間に相当する映像音声データがＤＶＤの空き容量一杯に収まるようＤＶＤへの映像データ記録時の記録レートを上記記録時間に基づき算出し、その後、ＨＤＤ３がハードディスクから再生した映像音声データをＤＶＤ記録再生部４がＤＶＤに記録させ、該記録時の映像データの記録レートは上記で算出された記録レートである。【選択図】図１
2008243246.tif 000002
【特許請求の範囲】
【請求項１】
ビデオカセットテープ再生部と、ハードディスク記録再生部と、ＤＶＤ記録部と、記録レート算出部と、を備え、
所定のボタンが押下げ操作されると、前記ビデオカセットテープ再生部はビデオカセットテープに記録された映像音声データを再生し、前記ハードディスク記録再生部は前記ビデオカセットテープ再生部が再生した映像音声データをハードディスク上に予め確保された所定の容量の専用領域に１０Ｍｂｐｓの記録レートで記録させ、その後、前記記録レート算出部は前記ビデオカセットテープに記録された映像音声データの記録時間に相当する映像音声データがＤＶＤの空き容量一杯に収まるよう前記ＤＶＤへの映像データ記録時の記録レートを前記記録時間に基づき算出し、その後、前記ハードディスク記録再生部は前記ハードディスクに記録された映像音声データを再生し、前記ＤＶＤ記録部は前記ハードディスク記録再生部が再生した映像音声データを前記ＤＶＤに記録させ、該記録時の映像データの記録レートは前記算出された記録レートであることを特徴とする光ディスク記録装置。
【請求項２】
ビデオカセットテープ再生部と、ハードディスク記録再生部と、光ディスク記録部と、記録レート算出部と、を備え、
所定のボタンが押下げ操作されると、前記ビデオカセットテープ再生部はビデオカセットテープに記録された映像音声データを再生し、前記ハードディスク記録再生部は前記ビデオカセットテープ再生部が再生した映像音声データをハードディスクに記録させ、その後、前記記録レート算出部は前記ビデオカセットテープに記録された映像音声データの記録時間に相当する映像音声データが光ディスクの空き容量一杯に収まるよう前記光ディスクへの映像データ記録時の記録レートを前記記録時間に基づき算出し、その後、前記ハードディスク記録再生部は前記ハードディスクに記録された映像音声データを再生し、前記光ディスク記録部は前記ハードディスク記録再生部が再生した映像音声データを前記光ディスクに記録させ、該記録時の映像データの記録レートは前記算出された記録レートであることを特徴とする光ディスク記録装置。
【請求項３】
前記光ディスクはＤＶＤであり、前記ビデオカセットテープ再生部が再生した映像音声データを前記ハードディスク記録再生部が前記ハードディスクに記録させるときの記録レートは１０Ｍｂｐｓであることを特徴とする請求項２に記載の光ディスク記録装置。
【請求項４】
前記ハードディスク記録再生部は前記ビデオカセットテープ再生部が再生した映像音声データを前記ハードディスク上に予め確保された所定の容量の専用領域に記録させることを特徴とする請求項２に記載の光ディスク記録装置。
【発明の詳細な説明】
【技術分野】
【０００１】
本発明は、光ディスク記録装置に関する。
【背景技術】
【０００２】
従来よりＶＣＲ（Ｖｉｄｅｏ  Ｃａｓｓｅｔｔｅ  Ｒｅｃｏｒｄｅｒ）が搭載されたＤＶＤレコーダが普及しており、このようなＤＶＤレコーダによればビデオカセットテープからＤＶＤへダビングを行うことが可能である（このようなダビングについては例えば特許文献１参照）。
【特許文献１】特開２００６−２４３３８号公報
【発明の開示】
【発明が解決しようとする課題】
【０００３】
しかし、上記従来のＤＶＤレコーダでは、ビデオカセットテープからＤＶＤへのダビングを行うには記録モードの設定等、設定操作が必要であり、ユーザにとって煩わしいという問題があった。
【０００４】
上記問題点を鑑み、本発明は、ユーザにとってビデオカセットテープから光ディスクへのダビングが容易なものとなり利便性が向上する光ディスク記録装置を提供することを目的とする。
【課題を解決するための手段】
【０００５】
上記目的を達成するために本発明の光ディスク記録装置は、ビデオカセットテープ再生部と、ハードディスク記録再生部と、光ディスク記録部と、記録レート算出部と、を備え、
所定のボタンが押下げ操作されると、前記ビデオカセットテープ再生部はビデオカセットテープに記録された映像音声データを再生し、前記ハードディスク記録再生部は前記ビデオカセットテープ再生部が再生した映像音声データをハードディスクに記録させ、その後、前記記録レート算出部は前記ビデオカセットテープに記録された映像音声データの記録時間に相当する映像音声データが光ディスクの空き容量一杯に収まるよう前記光ディスクへの映像データ記録時の記録レートを前記記録時間に基づき算出し、その後、前記ハードディスク記録再生部は前記ハードディスクに記録された映像音声データを再生し、前記光ディスク記録部は前記ハードディスク記録再生部が再生した映像音声データを前記光ディスクに記録させ、該記録時の映像データの記録レートは前記算出された記録レートであることを特徴としている。
【０００６】
このような構成によれば、所定のボタンの１回の押下げ操作のみでビデオカセットテープから光ディスクへのダビングが完了するので、ユーザにとってビデオカセットテープから光ディスクへのダビングが容易なものとなり利便性が向上する。
【０００７】
また、上記構成において前記光ディスクがＤＶＤの場合、前記ビデオカセットテープ再生部が再生した映像音声データを前記ハードディスク記録再生部が前記ハードディスクに記録させるときの記録レートは１０Ｍｂｐｓであることが望ましい。これにより、ビデオカセットテープに記録された映像データの画質を維持したＤＶＤへのダビングが可能となる。
【０００８】
また、上記構成において、前記ハードディスク記録再生部が、前記ビデオカセットテープ再生部が再生した映像音声データを前記ハードディスク上に予め確保された所定の容量の専用領域に記録させるような構成が望ましい。これにより、ビデオカセットテープに記録された映像音声データの全てを記録させる空き容量がハードディスク上になく、ダビング実行不可能となるといったことを防げる。
【発明の効果】
【０００９】
本発明の光ディスク記録装置によれば、ユーザにとってビデオカセットテープから光ディスクへのダビングが容易なものとなり利便性が向上する。
【発明を実施するための最良の形態】
【００１０】
以下、本発明の実施形態について図面を参照して説明する。
【００１１】
図１に、本発明に係るＤＶＤレコーダの概略構成図を示す。本発明に係るＤＶＤレコーダはＶＣＲ（Ｖｉｄｅｏ  Ｃａｓｓｅｔｔｅ  Ｒｅｃｏｒｄｅｒ）およびＨＤＤ（Ｈａｒｄ  Ｄｉｓｋ  Ｄｒｉｖｅ）が搭載された複合型のＤＶＤレコーダである。図１に示すよう、本発明に係るＤＶＤレコーダは、ＶＣＲ１と、Ａ／Ｄ変換部２と、ＨＤＤ３と、ＤＶＤ記録再生部４と、映像音声圧縮伸長部５と、制御部６と、セレクタ７と、Ｄ／Ａ変換部８と、リモコン受信部９と、を備えている。
【００１２】
ＶＣＲ１は、ビデオカセットテープから映像音声データを再生し、再生された映像音声データをＡ／Ｄ変換部２はＡ／Ｄ変換する。映像音声圧縮伸長部５は、Ａ／Ｄ変換部２でＡ／Ｄ変換された映像音声データを圧縮し、圧縮された映像音声データをＨＤＤ３がハードディスクに記録する。また、ＨＤＤ３が再生する圧縮された映像音声データを映像音声圧縮伸長部５は伸長し、伸長された映像音声データを映像音声圧縮伸長部５は再び圧縮し、圧縮された映像音声データをＤＶＤ記録再生部４がＤＶＤに記録させる。
【００１３】
また、Ａ／Ｄ変換部２でＡ／Ｄ変換された映像音声データはセレクタ７に入力され、ＨＤＤ３またはＤＶＤ記録再生部４が再生する圧縮された映像音声データを映像音声圧縮伸長部５は伸長し、伸長された映像音声データはセレクタ７に入力される。セレクタ７は、Ａ／Ｄ変換部２からの入力および映像音声圧縮伸長部５からの入力の一方を選択し、選択された入力データをＤ／Ａ変換部８に出力する。Ｄ／Ａ変換部８は、セレクタ７から入力される映像音声データをＤ／Ａ変換し、変換後の映像音声データを不図示のテレビ等の表示装置に出力する。
【００１４】
また、リモコン受信部９は、不図示のリモコンから赤外線信号を受信し、リモコン操作に応じたコード信号を制御部６に出力する。不図示のリモコンは、後述するビデオカセットテープからＤＶＤへのダビングを開始するための自動ダビングボタンを有する。なお、自動ダビングボタンはＤＶＤレコーダに設けるようにしてもよい。
【００１５】
次に、本発明に係るＤＶＤレコーダにおけるビデオカセットテープからＤＶＤへのダビングに関する動作について図２に示すフローチャートを用いて説明する。
【００１６】
不図示のリモコンにおいて自動ダビングボタンが押下げされると、リモコン受信部９はリモコンから赤外線信号を受信し、自動ダビングボタンの押下げに対応するコード信号を制御部６に出力する。すると、制御部６は、ＶＣＲ１にビデオカセットテープの早送りを開始させ、その後、ビデオカセットテープに記録されたＶＩＳＳ（ＶＨＳ  Ｉｎｄｅｘ  Ｓｅａｒｃｈ  Ｓｙｓｔｅｍ）を検出すると、ＶＣＲ１にビデオカセットテープの早送りを停止させビデオカセットテープに記録された映像音声データの再生を開始させる（ステップＳ１）。ここで、ＶＩＳＳは、頭出しに使用される信号であり、映像音声データの記録開始位置に対応するビデオカセットテープのコントロールトラック上の位置に記録される。
【００１７】
そして、ステップＳ２で、制御部６は、ＶＣＲ１により再生されＡ／Ｄ変換部２でＡ／Ｄ変換され映像音声圧縮伸長部５で圧縮された映像音声データのハードディスクへの記録をＨＤＤ３に開始させる。ここでのハードディスクへの映像データの記録は１０Ｍｂｐｓの記録レートで行われる。これにより、ビデオカセットテープに記録された映像データの画質を維持してＤＶＤへのダビングを行うことができる。また、ＤＶＤへの映像データの記録レートは規格上最高で１０Ｍｂｐｓであり、ハードディスクへの映像データの記録を１０Ｍｂｐｓを超える記録レートで行ったとしてもＤＶＤへの映像データの記録時に記録レートが１０Ｍｂｐｓ以下に制限されてしまうので、ハードディスクを無駄に消費させないという意味でハードディスクへの映像データの記録時は記録レートを１０Ｍｂｐｓとしている。
【００１８】
また、ここでは、ハードディスク上に予め確保された所定の容量の専用領域に映像音声データを記録させるようにするとよい。これにより、ビデオカセットテープに記録された映像音声データの全てを記録させる空き容量がハードディスク上になく、ダビング実行不可能となるといったことを防げる。
【００１９】
そして、ステップＳ３で、ＶＣＲ１はビデオカセットテープに記録された映像音声データの最後まで再生すると再生を停止する。
【００２０】
そして、ステップＳ４で、ＨＤＤ３はＶＣＲ１が再生した全ての映像音声データをハードディスクに記録すると記録を停止する。
【００２１】
次に、ステップＳ５で、制御部６はビデオカセットテープに記録された映像音声データの記録時間を算出する。ここでは、例えば、ステップＳ１でＶＣＲ１が再生を開始してからステップＳ３で再生を停止するまで制御部６がビデオカセットテープに記録されたコントロール信号を計数し、その計数結果に基づき記録時間を算出すればよい。また、ステップＳ２〜ステップＳ４でハードディスクに記録された映像データのデータ量と記録レートから記録時間を算出してもよい。
【００２２】
そして、ステップＳ６で、制御部６は、ステップＳ５で算出された記録時間に相当する映像音声データがＤＶＤの空き容量一杯に収まるようＤＶＤへの映像データ記録時の記録レートをステップＳ５で算出された記録時間に基づき算出する。
【００２３】
そして、ステップＳ７で、ＨＤＤ３はステップＳ２〜ステップＳ４でハードディスクに記録された映像音声データを再生し、該再生され映像音声圧縮伸長部５により伸長および圧縮された映像音声データをＤＶＤ記録再生部４がＤＶＤに記録させる。ここでの映像データの記録レートはステップＳ６で算出された記録レートである。これにより、ビデオカセットテープに記録された映像音声データがＤＶＤの空き容量一杯に収まるようＤＶＤにダビングされる。
【００２４】
なお、ステップＳ６で算出された記録レートが１０Ｍｂｐｓを超える場合は１０Ｍｂｐｓの記録レートで映像データがＤＶＤに記録される。この場合は、ＤＶＤの空き容量より少ないデータ量でダビングされることになる。
【００２５】
このように本発明に係るＤＶＤレコーダによれば、自動ダビングボタンの１回の押下げのみでビデオカセットテープからＤＶＤへのダビングが完了するので、ユーザにとってダビングが容易なものとなり利便性が向上する。
【図面の簡単な説明】
【００２６】
【図１】は、本発明に係るＤＶＤレコーダの概略構成図である。
【図２】は、本発明に係るＤＶＤレコーダにおけるダビング動作に関するフローチャートである。
【符号の説明】
【００２７】
１    ＶＣＲ
２    Ａ／Ｄ変換部
３    ＨＤＤ
４    ＤＶＤ記録再生部
５    映像音声圧縮伸長部
６    制御部
７    セレクタ
８    Ｄ／Ａ変換部
９    リモコン受信部
【図１】
2008243246.tif 000003
【図２】
2008243246.tif 000004